(57)【要約】【課題】  方形をした２枚のフィルムシート間におむすびに巻くための方形をした海苔を挟み込むようにして収容し、該海苔を、容易にかつ全形で取り出せるようにする。【解決手段】  方形をした２枚のフィルムシート２，３を重ね合わせ、その外周縁のうち連続した２辺６，７を密封し、開放された２辺８，９側から２枚のフィルムシート２，３間におむすびに巻くための方形をした海苔１０を挟み込むようにして収容し、該海苔１０をおむすび１３に巻くときは、開放された２枚のフィルムシートのうちの一方２をほぼ半分開いて海苔を露出させ、取り出すようにしたおむすび用海苔収容シート１であって、開放された２枚のフィルムシートのうちの一方２を、開く側のシート２ａの端縁と、残る側のシート２ｂの端縁とが所定長さで重なる重なり部４を形成しておき、海苔１０をおむすび１３に巻くときは、開く側のシート２ａを開いて海苔１０を露出させ、取り出す。【選択図】図１
2005187064.tif 000002
【特許請求の範囲】
【請求項１】
方形をした２枚のフィルムシートを重ね合わせ、その外周縁のうち連続した２辺を密封し、開放された２辺側から２枚のフィルムシート間におむすびに巻くための方形をした海苔を挟み込むようにして収容し、該海苔をおむすびに巻くときは、開放された２枚のフィルムシートのうちの一方をほぼ半分開いて海苔を露出させ、取り出すようにしたおむすび用海苔収容シートであって、
前記開放された２枚のフィルムシートのうちの一方を、開く側のシートの端縁と、残る側のシートの端縁とが所定長さで重なる重なり部を形成しておき、海苔をおむすびに巻くときは、開く側のシートを開いて海苔を露出させ、取り出すようにしたことを特徴とするおむすび用海苔収容シート。
【請求項２】
前記開く側のシートの端縁と、残る側のシートの端縁との重なり部に、外側縁側の端部に位置してピンポイント接着を施したことを特徴とする請求項１記載のおむすび用海苔収容シート。
【請求項３】
前記フィルムシートの外周縁のうち、連続した２辺を密封した部分の内側部分に、フィルムシート間に収容される海苔の外周縁を位置決めする，位置決めストッパを設けたことを特徴とする請求項１又は２記載のおむすび用海苔収容シート。
【発明の詳細な説明】
【技術分野】
【０００１】  本発明は、方形をした２枚のフィルムシートを重ね合わせ、その外周縁のうち連続した２辺を密封し、開放された２辺側から２枚のフィルムシート間におむすびに巻くための方形をした海苔を挟み込むようにして収容し、該海苔をおむすびに巻くときは、開放された２枚のフィルムシートのうちの一方をほぼ半分開いて海苔を露出させ、取り出すようにしたおむすび用海苔収容シートに関する。
【背景技術】
【０００２】  従来、おむすびを、海苔を内包した長方形状のフィルムにより包装し、該おむすびを食するとき、前記フィルムの外側のものを中央から縦方向に切断し、該フィルムを左右両側端部において外側に向け引っ張って抜き取り、乾いた海苔を露出させ、該海苔をおむすびの表面に巻き付けて食するようにしたおむすび包装用フィルムが、特許文献１に開示されている。
【特許文献１】実用新案登録第３０８４１３１号公報
【０００３】  前記特許文献１に記載のおむすび包装用フィルムは、縦長長方形でほぼ二重構造のおむすび包装用フィルムが、左右方向中央部から縦方向に二等分される右フィルムと左フィルムからなり、切断可能に添設された開封テープにより仕切られている。該開封テープの上部のフィルム切断開始位置に、切断用ガイドを設けている。また、包装用フィルムは、一側縁を海苔を挿入するための開口部として開口し、上端縁と下端縁、及び開口部と対向する左側縁をそれぞれヒートシールにより密閉している。右フィルムの裏側端縁と左フィルムの裏側端縁とは海苔が挿入しやすいようにわずかにラップしているが、このラップ部分は、開封テープにより右フィルムと左フィルムに切断したときは、右フィルムと左フィルムに容易に分離されるようになっている。【０００４】  そして、開口部からフィルム内に海苔を入れ、この海苔を内装した包装用フィルムにより、おむすびを包装する。包装されたおむすびを食するときは、切断用ガイドから開封テープを下側に引っ張って右フィルムと左フィルムの外側を縦方向に切断する。次に、右フィルムと左フィルムの左右両外側端部を持って外側に向け引っ張ると、右フィルムと左フィルムは分離して抜き取られ、乾いた海苔が露出する。この露出した海苔をおむすびの表面に巻き付けて食べるのである。【０００５】  また、海苔を内装した包装用フィルムは、おむすび包装用としての使用方法に限らず、海苔容器としても使用できる。即ち、おむすびを別に用意し、包装用フィルムに入れた海苔を、おむすびを食するときに、包装用フィルムの切断用ガイドから開封テープを下側に引っ張って右フィルムと左フィルムの外側を縦方向に切断し、右フィルムと左フィルムの左右両外側端部を持って左右方向に向け引っ張って海苔を取り出し、おむすびの表面に巻き付けて食べる、という使い方もできる。さらに、家庭用の手巻き寿司の海苔として、あるいは回転寿司を巻く海苔としても使用することができる。【０００６】  一方、特許文献１に記載のおむすび包装用フィルムとは別の先行技術（以下、第２の先行技術という。）として、図４〜図６に示すように、方形をした２枚のフィルムシートｂ，ｃを重ね合わせ、その外周縁のうち連続した２辺の外周縁をヒートシールにより密封して密封縁ｄ，ｅを形成し、開放された２辺ｆ，ｇ側から２枚のフィルムシートｂ，ｃ間に、おむすびｏに巻くための方形をした海苔ｎを挟み込むようにして収容し、該海苔ｎをおむすびｏに巻くときは、開放された２枚のフィルムシートのうちの一方ｂを切り口ｈからほぼ半分に切り開き、ここから海苔ｎを露出させて取り出すようにした，おむすび用海苔収容シートａが周知である。
【発明の開示】
【発明が解決しようとする課題】
【０００７】  ところで、上記特許文献１に記載のおむすび包装用フィルムにおいては、開口部からフイルム内に海苔を入れるとき、包装用フィルムのほぼ中央部に入れてフィルム間に挟み込むようにして収容し、おむすびを包装するのが望ましい。しかし、包装用フィルム内において海苔が偏って収容されると、おむすびを食するとき、切断用ガイドから開封テープを下側に引っ張って右フィルムと左フィルムの外側を縦方向に切断し、右フィルムと左フィルムの左右両外側端部を持って外側に向け引っ張って海苔を露出させる際、海苔が左フィルムに引っ張られて破れてしまい、海苔の全サイズをおむすびの表面に巻き付けて食することがてきなくなる、という不都合があった。また、包装用フィルムを開封テープを引っ張って右フィルムと左フィルムの外側を縦方向に切断して海苔及びおむすびを取り出す操作が面倒であった。【０００８】  また、上記第２の先行技術においては、図４に示す状態に海苔ｎを収容したおむすび用海苔収容シートａから、図５に示すように海苔ｎを取り出しておむすびｏに巻くとき、開放された２枚のフィルムシートのうちの一方ｂを、切り口ｈから手によりフィルムシートのほぼ半分を切り開くので、図６に示すようにフィルムシートｂが自由な方向に切り開かれて、ほぼ半分に切ることができず、切断具合によっては海苔ｎをうまく取り出すことができない、といった不都合があった。さらに、フィルムシートｂ，ｃ間に収容された海苔ｎが、図７に示すように、密封縁ｄ，ｅ側に偏ってしまうと、海苔ｎの外端部が密封縁ｄ，ｅ側に強く挟まれて、海苔ｎを引き出すときに破れてしまい、全形で取り出すことができないことがある、という不都合があった。【０００９】  本発明は、上記のような不都合を解消するためになされたもので、海苔を収容したおむすび用海苔収容シートから海苔を取り出しておむすびに巻くとき、開放された２枚のフィルムシートのうちの開く側のシートを重なり部分から開いて海苔をほぼ半分露出させ、海苔の全部を取り出し、おむすびに巻いて食することができる。また、開く側のシートの重なり部分は、ピンポイント接着されているので力を加えないと簡単に開かない。さらに、フィルムシート内において海苔は、位置決めストッパにより位置決めされていることで、海苔を引き出すときに破れる恐れがないようにした、おむすび用海苔収容シートを提供することを目的とする。
【課題を解決するための手段】
【００１０】  上記の目的を達成するために本発明のおむすび用海苔収容シートは、以下の構成を有することを特徴としている。
Ａ．方形をした２枚のフィルムシートを重ね合わせ、その外周縁のうち連続した２辺を密封し、開放された２辺側から２枚のフィルムシート間におむすびに巻くための方形をした海苔を挟み込むようにして収容し、該海苔をおむすびに巻くときは、開放された２枚のフィルムシートのうちの一方をほぼ半分開いて海苔を露出させ、取り出すようにしたおむすび用海苔収容シートであって、
前記開放された２枚のフィルムシートのうちの一方を、開く側のシートの端縁と、残る側のシートの端縁とが所定長さで重なる重なり部を形成しておき、海苔をおむすびに巻くときは、開く側のシートを開いて海苔を露出させ、取り出すようにした。【００１１】Ｂ．前記開く側のシートの端縁と、残る側のシートの端縁との重なり部に、外側縁側の端部に位置してピンポイント接着を施した。
Ｃ．前記フィルムシートの外周縁のうち、連続した２辺を密封した部分の内側部分に、フィルムシート間に収容される海苔の外周縁を位置決めする，位置決めストッパを設けた。
【発明の効果】
【００１２】イ．上記Ａ．の構成により、開放された２枚のフィルムシートのうちの一方を、開く側のシートの端縁と、残る側のシートの端縁とが所定長さで重なる重なり部を形成しておき、海苔をおむすびに巻くときに開く側のシートを開いて海苔を露出させ、取り出すようにしたので、おむすび用海苔収容シートから海苔を取り出しておむすびに巻こうとするとき、開く側のシートを開くだけで海苔がほぼ半分露出し、海苔全体を取り出しておむすびに巻くことができる。また、開く側のフィルムシートが分離可能であっても、重なり部を有しているので防湿され、収容された海苔を湿気らせることはない。【００１３】ロ．上記Ｂ．の構成により、開く側のシートの端縁と、残る側のシートの端縁との重なり部に、外側縁側の端部に位置してピンポイント接着を施したので、開く側のシートが残る側のシートから簡単には剥がれることがなく、海苔収容後に開く側のシートが剥がれて中の海苔を損傷させたり、湿気させたりするのを防止することができる。
ハ．上記Ｃ．の構成により、フィルムシートの外周縁のうち、連続した２辺を密封した部分の内側部分に、フィルムシート間に収容される海苔の外周縁を位置決めする，位置決めストッパを設けたので、フィルムシート間に収容された海苔を取り出すとき、破れることなく全形を取り出すことができる。
【発明を実施するための最良の形態】
【００１４】  以下、本発明を実施するための最良の形態について、添付の図面を参照しながら具体的に説明する。【００１５】  図１は、本発明によるおむすび用海苔収容シートに海苔を収容した状態の斜視図、図２は、おむすび用海苔収容シートから海苔を取り出しておむすびに巻く際に、ピンポイント接着を外して開く側のシートを開いて海苔をほぼ半分露出させた状態の斜視図、図３は、おむすび用海苔収容シートから海苔を取り出しておむすびに巻く状態の斜視図、図４は、従来のおむすび用海苔収容シートに海苔を収容した状態の斜視図、図５は、同おむすび用海苔収容シートから海苔を取り出しておむすびに巻く際に、開放された２枚のフィルムシートのうちの上側のものを切り口から切り開く状態の斜視図、図６は、同おむすび用海苔収容シートから海苔を取り出しておむすびに巻く際に、開放された２枚のフィルムシートのうちの上側のものを切り口から切り開くとき、フィルムシートが自由な方向に切り開かれる状態の斜視図、図７は、同おむすび用海苔収容シートにおけるフィルムシート間に収容された海苔が、密封縁側に偏っ状態の斜視図である。【００１６】  図１〜図３において、符号１は本発明に係るおむすび用海苔収容シートで、このおむすび用海苔収容シート１は、ポリエチレンフィルムからなる長方形をしたフィルムシート３の上側に同形をしたポリエチレンフィルムからなるフィルムシート２を重ね合わせ、その外周縁のうち連続した２辺を密封して密封縁６，７を形成している。その密封手段は、フィルムを二つ折りしたり、あるいはヒートシールしたりする。前記フィルムシート２は、開く側のシート２ａと、残る側のシート２ｂとを、その上下端部において、所定長さの重なりを有して重なり部４を形成している。フィルムシート２，３の他の２辺は開放され、開放端縁８，９を形成している。【００１７】  開く側のシート２ａと残る側のシート２ｂは、フィルムシート３に対して重ね、連続した２辺を密封して密封縁６，７が形成され、開く側のシート２ａが、残る側のシート２ｂの上側になるように重ねられている。また、開く側のシート２ａの端縁と残る側のシート２ｂの端縁とが重なる重なり部４の外側縁側の端部は、ピンポイント接着５が施されて接着されている。そして、開放された２辺の開放端縁８，９側から２枚のフィルムシート２（２ａ，２ｂ），３間に、おむすび１３に巻くための長方形をした海苔１０を挟み込むようにして収容し、該海苔１０をおむすび１３に巻くときは、開放された２枚のフィルムシート２，３のうちのフィルムシート２をほぼ半分開いて海苔１０を露出させ、取り出すようにしている。【００１８】  前記２枚のフィルムシート２，３の連続した２辺を密封して形成した密封縁６，７の内側部分に、フィルムシート２，３間に収容される海苔１０の外周縁を位置決めする位置決めストッパ１１，１２を設けている。この位置決めストッパ１１，１２は、２枚のフィルムシート２，３間に収容された海苔１０が、密封縁６，７側に偏って強く挟まれた状態になるのを防止するもので、２枚のフィルムシート２，３間から海苔１０を破れることなく引き出すことができるようにしたものである。【００１９】  このように構成されたおむすび用海苔収容シート１においては、該海苔収容シート１から海苔１０を取り出しておむすび１３に巻こうとするとき、開く側のシート２ａを開くだけで海苔１０がほぼ半分露出し、海苔１０全体を取り出しておむすび１３に巻くことができる。また、開く側のフィルムシート２ａが、残る側のシート２ｂから分離可能であっても、重なり部４を有しているので防湿され、収容された海苔１０が湿気るのを防止することができる。【００２０】  また、重なり部４の外側縁側の端部にピンポイント接着５が施されているので、開く側のシート２ａが残る側のシート２ｂから簡単には剥がれることがなく、海苔１０を収容後に開く側のシート２ａが剥がれて中の海苔１０を損傷させたり、湿気させたりするのが防止される。さらに、密封縁６，７のの内側部分に、フィルムシート２，３間に収容される海苔１０の外周縁を位置決めする位置決めストッパ１１，１２が設けられているので、フィルムシート２，３間に収容された海苔１０を取り出すとき、破れることなく全形状態で取り出すことができる。
【産業上の利用可能性】
【００２１】  本発明のおむすび用海苔収容シートは、、海苔を収容したおむすび用海苔収容シートから海苔を取り出しておむすびに巻くとき、開放された２枚のフィルムシートのうちの開く側のシートを重なり部分から開いて海苔をほぼ半分露出させ、海苔を全形で取り出すことができる。
【図面の簡単な説明】
【００２２】
【図１】本発明によるおむすび用海苔収容シートに海苔を収容した状態の斜視図である。
【図２】おむすび用海苔収容シートから海苔を取り出そうとする状態の斜視図である。
【図３】おむすび用海苔収容シートから海苔を取り出しておむすびに巻こうとする状態の斜視図である。
【図４】従来のおむすび用海苔収容シートに海苔を収容した状態の斜視図である。
【図５】従来のおむすび用海苔収容シートから海苔を取り出そうとする状態の斜視図である。
【図６】従来のおむすび用海苔収容シートから海苔を取り出すためにシートを開いている状態の斜視図である。
【図７】従来のおむすび用海苔収容シートにおいて海苔がシートの外周密着部に偏った状態の斜視図である。
【符号の説明】
【００２３】１  おむすび用海苔収容シート
２  フィルムシート  ２ａ  開く側のシート  ２ｂ  残る側のシート
３  フィルムシート
４  重なり部
５  ピンポイント接着
６，７  密封縁
８，９  開放端縁
１０  海苔
１１，１２  位置決めストッパ
１３  おむすび
【図１】
2005187064.tif 000003
【図２】
2005187064.tif 000004
【図３】
2005187064.tif 000005
【図４】
2005187064.tif 000006
【図５】
2005187064.tif 000007
【図６】
2005187064.tif 000008
【図７】
2005187064.tif 000009